(57)【要約】【課題】適正に止水性能を確保することができる圧着端子、及び、端子付き電線を提供することを目的とする。【解決手段】端子付き電線に適用される圧着端子１は、基部４１、基部４１から一方側に延びる第１バレル片部４２、及び、基部４１から他方側に延びる第２バレル片部４３を含み、第１バレル片部４２が基部４１との間に位置する電線Ｗの外側を包み、第２バレル片部４３が第１バレル片部４２の外側を包んで電線Ｗに対して圧着され電線Ｗの導体部Ｗ１及び絶縁被覆部Ｗ２を一体に覆う電線圧着部４と、第１バレル片部４２と基部４１と第２バレル片部４３とに渡って電線Ｗとの間に介在し電線圧着部４の内方への水の浸入を抑えると共に導電性を有し電線Ｗに対して圧着された電線圧着部４の伸び量と同等以上に伸長可能である導電性シート５とを備えることを特徴とする。【選択図】図２
2019036461.tif 000002
【特許請求の範囲】
【請求項１】
軸方向に沿って延在する基部、前記基部から前記軸方向と交差する交差方向の一方側に延びる第１バレル片部、及び、前記基部から前記交差方向の他方側に延びる第２バレル片部を含み、前記第１バレル片部が前記基部との間に位置する電線の外側を包み、前記第２バレル片部が前記第１バレル片部の外側を包んで前記電線に対して圧着され前記電線の導体部及び絶縁被覆部を一体に覆う電線圧着部と、
前記第１バレル片部と前記基部と前記第２バレル片部とに渡って前記電線との間に介在し前記電線圧着部の内方への水の浸入を抑えると共に導電性を有し前記電線に対して圧着された前記電線圧着部の伸び量と同等以上に伸長可能である導電性シートとを備えることを特徴とする、
圧着端子。
【請求項２】
前記電線圧着部は、前記軸方向の一端側に設けられ前記導体部に対して圧着される導体圧着部、及び、前記軸方向の他端側に設けられ前記絶縁被覆部に対して圧着される被覆圧着部を含み、前記導体圧着部、及び、前記被覆圧着部によって前記導体部及び前記絶縁被覆部を一体に覆い、
前記導電性シートは、前記導体圧着部と前記被覆圧着部とに渡って前記電線との間に介在する、
請求項１に記載の圧着端子。
【請求項３】
前記導電性シートは、前記第１バレル片部と前記第２バレル片部との間にも介在する、
請求項１又は請求項２に記載の圧着端子。
【請求項４】
前記導電性シートは、伸長率が１０％以上である、
請求項１乃至請求項３のいずれか１項に記載の圧着端子。
【請求項５】
電線と、
前記電線に圧着される圧着端子とを備え、
前記圧着端子は、
軸方向に沿って延在する基部、前記基部から前記軸方向と交差する交差方向の一方側に延びる第１バレル片部、及び、前記基部から前記交差方向の他方側に延びる第２バレル片部を含み、前記第１バレル片部が前記基部との間に位置する前記電線の外側を包み、前記第２バレル片部が前記第１バレル片部の外側を包んで前記電線に対して圧着され前記電線の導体部及び絶縁被覆部を一体に覆う電線圧着部と、
前記第１バレル片部と前記基部と前記第２バレル片部とに渡って前記電線との間に介在し前記電線圧着部の内方への水の浸入を抑えると共に導電性を有し前記電線に対して圧着された前記電線圧着部の伸び量と同等以上に伸長可能である導電性シートとを備えることを特徴とする、
端子付き電線。
【発明の詳細な説明】
【技術分野】
【０００１】
本発明は、圧着端子、及び、端子付き電線に関する。
【背景技術】
【０００２】
車両に適用されるワイヤハーネスが備える従来の圧着端子、及び、端子付き電線に関する技術として、例えば、特許文献１には、電線と端子金具との接続構造が開示されている。電線は、芯線に絶縁層を被覆してなる。端子金具は、芯線とは異種の金属によって形成され、カシメ片を備えたオープンバレル状をなす電線圧着部を有する。そして、この電線と端子金具との接続構造は、電線の芯線に中間キャップを被覆し、この中間キャップを包囲するようにカシメ片を圧着させ、中間キャップが端子金具と同種の金属等の端子金具との間で電食を生じさせない材料により形成されている。
【先行技術文献】
【特許文献】
【０００３】
【特許文献１】特開２００４−２０７１７２号公報
【発明の概要】
【発明が解決しようとする課題】
【０００４】
ところで、上述の特許文献１に記載の接続構造は、適正な止水性能確保の点で更なる改善の余地がある。
【０００５】
本発明は、上記の事情に鑑みてなされたものであって、適正に止水性能を確保することができる圧着端子、及び、端子付き電線を提供することを目的とする。
【課題を解決するための手段】
【０００６】
上記目的を達成するために、本発明に係る圧着端子は、軸方向に沿って延在する基部、前記基部から前記軸方向と交差する交差方向の一方側に延びる第１バレル片部、及び、前記基部から前記交差方向の他方側に延びる第２バレル片部を含み、前記第１バレル片部が前記基部との間に位置する電線の外側を包み、前記第２バレル片部が前記第１バレル片部の外側を包んで前記電線に対して圧着され前記電線の導体部及び絶縁被覆部を一体に覆う電線圧着部と、前記第１バレル片部と前記基部と前記第２バレル片部とに渡って前記電線との間に介在し前記電線圧着部の内方への水の浸入を抑えると共に導電性を有し前記電線に対して圧着された前記電線圧着部の伸び量と同等以上に伸長可能である導電性シートとを備えることを特徴とする。
【０００７】
また、上記圧着端子では、前記電線圧着部は、前記軸方向の一端側に設けられ前記導体部に対して圧着される導体圧着部、及び、前記軸方向の他端側に設けられ前記絶縁被覆部に対して圧着される被覆圧着部を含み、前記導体圧着部、及び、前記被覆圧着部によって前記導体部及び前記絶縁被覆部を一体に覆い、前記導電性シートは、前記導体圧着部と前記被覆圧着部とに渡って前記電線との間に介在するものとすることができる。
【０００８】
また、上記圧着端子では、前記導電性シートは、前記第１バレル片部と前記第２バレル片部との間にも介在するものとすることができる。
【０００９】
また、上記圧着端子では、前記導電性シートは、伸長率が１０％以上であるものとすることができる。
【００１０】
上記目的を達成するために、本発明に係る端子付き電線は、電線と、前記電線に圧着される圧着端子とを備え、前記圧着端子は、軸方向に沿って延在する基部、前記基部から前記軸方向と交差する交差方向の一方側に延びる第１バレル片部、及び、前記基部から前記交差方向の他方側に延びる第２バレル片部を含み、前記第１バレル片部が前記基部との間に位置する前記電線の外側を包み、前記第２バレル片部が前記第１バレル片部の外側を包んで前記電線に対して圧着され前記電線の導体部及び絶縁被覆部を一体に覆う電線圧着部と、前記第１バレル片部と前記基部と前記第２バレル片部とに渡って前記電線との間に介在し前記電線圧着部の内方への水の浸入を抑えると共に導電性を有し前記電線に対して圧着された前記電線圧着部の伸び量と同等以上に伸長可能である導電性シートとを備えることを特徴とする。
【発明の効果】
【００１１】
本発明に係る圧着端子、及び、端子付き電線は、電線圧着部において第１バレル片部が基部との間に位置する電線の外側を包み、第２バレル片部が第１バレル片部の外側を包むようにして電線に対して圧着され、電線の導体部及び絶縁被覆部を一体に覆う。そして、圧着端子は、導電性シートが第１バレル片部と基部と第２バレル片部とに渡って電線との間に介在し、当該導電性シートによって電線圧着部の内方への水の浸入を抑える。ここで、導電性シートは、導電性を有し、かつ、電線に対して圧着された電線圧着部の伸び量と同等以上に伸長可能である。この構成により、圧着端子は、導電性シートが電線の導体部と電線圧着部との間に介在して相互に電気的に接続した上で、当該導電性シートが電線に対して圧着された状態の電線圧着部の膨張、収縮等の変形に追従することができる。この結果、圧着端子、及び、端子付き電線は、当該導電性シートによって電線圧着部の内方を止水した状態を適正に維持することができ、適正に止水性能を確保することができる、という効果を奏する。
【図面の簡単な説明】
【００１２】
【図１】図１は、実施形態に係る圧着端子の圧着後の状態を示す斜視図である。
【図２】図２は、実施形態に係る圧着端子の圧着前の状態を示す斜視図である。
【図３】図３は、実施形態に係る圧着端子において、電線圧着部の折り曲げ成形がなされる前の状態を示す分解斜視図である。
【図４】図４は、実施形態に係る圧着端子において、電線圧着部の折り曲げ成形がなされる前の状態を示す斜視図である。
【図５】図５は、実施形態に係る圧着端子の電線圧着部の断面図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
［実施形態］
図１、図２、図３に示す本実施形態の圧着端子１は、例えば、車両等に使用されるワイヤハーネスＷＨ等に適用される端子金具である。ここで、ワイヤハーネスＷＨは、例えば、車両に搭載される各装置間の接続のために、電源供給や信号通信に用いられる複数の電線Ｗを束にして集合部品とし、コネクタ等で複数の電線Ｗを一度に各装置に接続するようにしたものである。ワイヤハーネスＷＨは、電線Ｗと、当該電線Ｗの端末に設けられた当該圧着端子１とを備える。電線Ｗは、例えば、導電性を有する線状の導体部Ｗ１と、当該導体部Ｗ１の外側を覆う絶縁性の絶縁被覆部Ｗ２とを含んで構成される。本実施形態の導体部Ｗ１は、導電性の金属、例えば、銅、銅合金、アルミニウム、アルミニウム合金等の素線を複数束ねた芯線であるが、複数の素線を撚り合わせた撚り芯線であってもよい。絶縁被覆部Ｗ２は、導体部Ｗ１の外周側を被覆する電線被覆である。絶縁被覆部Ｗ２は、例えば、絶縁性の樹脂材料（ＰＰやＰＶＣ、架橋ＰＥ等。耐摩耗性や耐薬品性、耐熱性等に配慮して適宜選定される。）等を押出成形することによって形成される。電線Ｗは、少なくとも導体部Ｗ１の一方の端末において、絶縁被覆部Ｗ２が剥ぎ取られており、当該導体部Ｗ１の一方の端末が絶縁被覆部Ｗ２から露出しており、当該露出している導体部Ｗ１の端末に圧着端子１が圧着される。ここでは、電線Ｗは、線状に延びる延在方向に対してほぼ同じ径で延びるように形成され、導体部Ｗ１の断面形状（延在方向と交差する方向の断面形状）が略円形状、絶縁被覆部Ｗ２の断面形状が略円環形状となっており、全体として略円形状の断面形状となっている。電線Ｗと圧着端子１とは、端子付き電線１００を構成する。言い換えれば、端子付き電線１００は、電線Ｗと、電線Ｗに圧着される圧着端子１とを備える。ワイヤハーネスＷＨは、この他、さらに、グロメット、プロテクタ、固定具等を含んで構成されてもよい。以下、各図を参照して圧着端子１の構成について詳細に説明する。
【００１５】
なお、以下の説明では、互いに交差する第１方向、第２方向、及び、第３方向のうち、第１方向を「軸方向Ｘ」といい、第２方向を「幅方向Ｙ」といい、第３方向を「高さ方向Ｚ」という。ここでは、軸方向Ｘと幅方向Ｙと高さ方向Ｚとは、相互に略直交する。軸方向Ｘは、典型的には、圧着端子１が設けられる電線Ｗの延在方向に相当し、圧着端子１の電気接続部２と電線圧着部４とが並ぶ方向に相当する。幅方向Ｙと高さ方向Ｚとは、軸方向Ｘと交差する交差方向に相当する。また、以下の説明で用いる各方向は、特に断りのない限り、各部が相互に組み付けられた状態での方向を表すものとする。
【００１６】
圧着端子１は、電気接続部２と、連結部３と、電線圧着部４と、導電性シート５とを備える。電気接続部２と連結部３と電線圧着部４とは、全体が一体で導電性の金属、例えば、銅、銅合金、アルミニウム、アルミニウム合金等によって構成され、端子金具６を構成する。圧着端子１は、例えば、電気接続部２、連結部３、電線圧着部４等の各部に対応した形状に打ち抜かれた一枚の板金（図３、図４等）をプレス及び折り曲げ成形することにより各部が立体的に一体で形成される。圧着端子１は、軸方向Ｘに沿って一方側から他方側に向かって、電気接続部２、連結部３、電線圧着部４の順で並んで相互に連結される。
【００１７】
電気接続部２は、導電性部材と電気的に接続される部分である。本実施形態の導電性部材は、例えば、相手側端子（不図示）である。すなわちここでは、本実施形態の電気接続部２は、相手側端子に対して電気的に接続される端子接続部として構成される。電気接続部２は、雄型の端子形状であってもよいし、雌型の端子形状であってもよい。本実施形態の電気接続部２は、雌型の端子形状として図示しており、雄型の端子形状の相手側端子と電気的に接続される。なお、導電性部材は、相手側端子でなくてもよく、例えば、アース部材等の種々の導電性の部材であってもよい。電気接続部２は、相手側端子に対して電気的に接続される端子接続部を構成しなくてもよく、例えば、アース部材等に締結されるいわゆる丸形端子（ＬＡ端子）形状であってもよい。
【００１８】
連結部３は、電気接続部２と電線圧着部４との間に介在し、当該電気接続部２と当該電線圧着部４とを連結する部分である。圧着端子１は、電気接続部２と電線圧着部４とが連結部３を介して電気的に接続され、当該電線圧着部４を介して電気接続部２と電線Ｗの導体部Ｗ１とが電気的に接続され導通される。
【００１９】
電線圧着部４は、圧着端子１と電線Ｗの端末とを電気的に接続する部分である。電線圧着部４は、電線Ｗの端末に加締められ圧着される。電線圧着部４は、基部４１、及び、一対の第１バレル片部４２、第２バレル片部４３を含んで構成される。
【００２０】
基部４１は、軸方向Ｘに沿って延在し、Ｕ字状に形成された電線圧着部４の底壁となる部分である。基部４１は、圧着加工の際に電線Ｗの端部が載置される。基部４１は、軸方向Ｘの一方側に連結部３を介して電気接続部２が連結される。なお、基部４１は、圧着加工前の状態において軸方向Ｘの他方側にキャリアＣが連結されており、例えば、圧着加工時にキャリアＣから切断される。
【００２１】
一対の第１バレル片部４２、第２バレル片部４３は、基部４１から幅方向Ｙの両側にそれぞれ帯状に延びて形成され、基部４１との間に電線Ｗを包んで加締められ圧着される部分である。第１バレル片部４２、第２バレル片部４３は、圧着加工前の状態において、Ｕ字状に形成された電線圧着部４の側壁となる部分である。第１バレル片部４２は、基部４１から軸方向Ｘと交差する幅方向Ｙの一方側に延びる。第２バレル片部４３は、基部４１から幅方向Ｙの他方側に延びる。第１バレル片部４２、第２バレル片部４３は、電線Ｗに対して加締められ圧着される前の状態（図２参照）では、基部４１に対して曲げ加工が施され当該基部４１とあわせて略Ｕ字状に成形されている。本実施形態の一対の第１バレル片部４２、第２バレル片部４３は、電線Ｗに対して巻き付けられて加締められ、圧着された状態で、互いに重なり合う（オーバーラップする）ように基部４１側の根元から先端までの長さが設定されている。一対の第１バレル片部４２、第２バレル片部４３は、基部４１側の根元から先端までの長さが互いに等しくてもよく、一方の長さが他方の長さよりも長くてもよい。ここでは、一対の第１バレル片部４２、第２バレル片部４３は、第１バレル片部４２の外側（圧着後に電線Ｗが位置する側とは反対側）に第２バレル片部４３が重なる。
【００２２】
上記のように構成される電線圧着部４は、第１バレル片部４２が基部４１との間に位置する電線Ｗの外側を包み、第２バレル片部４３が第１バレル片部４２の外側を包んで電線Ｗに対して圧着され電線Ｗの導体部Ｗ１、及び、絶縁被覆部Ｗ２を一体に覆う。より詳細には、電線圧着部４は、導体圧着部４４と、連結圧着部４５と、被覆圧着部４６とを含んで構成される。電線圧着部４は、軸方向Ｘに沿って電気接続部２側から反対側に向かって、導体圧着部４４、連結圧着部４５、被覆圧着部４６の順で並んで相互に連結され一体化されたいわゆる一体バレル型の圧着部を構成する。言い換えれば、基部４１、第１バレル片部４２、第２バレル片部４３は、導体圧着部４４と、被覆圧着部４６との間に連結圧着部４５が介在している。さらに言えば、基部４１、第１バレル片部４２、第２バレル片部４３は、それぞれ導体圧着部４４、連結圧着部４５、被覆圧着部４６がこの順序で軸方向Ｘに沿って連続している一枚の片部である。
【００２３】
導体圧着部４４は、電線圧着部４において軸方向Ｘの一端側、ここでは、電気接続部２側に設けられ電線Ｗの導体部Ｗ１に対して加締められ圧着される部分である。さらに言えば、導体圧着部４４は、導体部Ｗ１に対して加締められ圧着されることで、当該導体部Ｗ１と電気的に接続される部分である。連結圧着部４５は、導体圧着部４４と被覆圧着部４６との間に介在し、当該導体圧着部４４と当該被覆圧着部４６とを連結する部分である。被覆圧着部４６は、電線圧着部４において軸方向Ｘの他端側、ここでは、電気接続部２側とは反対側に設けられ電線Ｗの絶縁被覆部Ｗ２に対して加締められ圧着される部分である。電線圧着部４は、導体圧着部４４、連結圧着部４５、及び、被覆圧着部４６によって電線Ｗの導体部Ｗ１及び絶縁被覆部Ｗ２を一体に覆い加締められ圧着される。なお、電線圧着部４は、導体圧着部４４において、導体部Ｗ１と接触する部分に、導体部Ｗ１との接触面積を増やし接触安定性を向上すると共に凝着強度を向上するためのセレーション等が設けられていてもよい。
【００２４】
導電性シート５は、第１バレル片部４２と基部４１と第２バレル片部４３とに渡って電線Ｗとの間に介在し電線圧着部４の内方への水の浸入を抑える止水部材である。本実施形態の導電性シート５は、導電性を有し電線Ｗに対して圧着された電線圧着部４の伸び量と同等以上に伸長可能なものである。導電性シート５は、好適には、伸長率が１０％以上であるものが用いられる。ここで、伸長率［％］は、典型的には、下記の数式（１）で表すことができる。導電性シート５の初期の全長は、典型的には、導電性シート５に外力が付加されてない状態での所定方向に沿った全長である。導電性シート５の伸長時の全長は、典型的には、上記所定方向に沿って伸長した状態での当該所定方向に沿った全長である。
伸長率［％］＝（（伸長時の全長−初期の全長）／初期の全長）×１００  ・・・（１）
導電性シート５の伸長率の上限値は、例えば、１００％程度、典型的には、製造上可能な範囲であればよい。また、導電性シート５は、少なくとも−４０℃以上１２０℃以下の温度域で適正に機能する程度の耐温度性能を有していることが好ましい。導電性シート５は、例えば、樹脂、ゴム、エラストマ等の材料に、金、銀、銅、亜鉛、鉄、ニッケル等の導電性を有する金属や導電性を有する炭素繊維（カーボンナノチューブ等）を添加したものを用いることができる。導電性シート５は、一例として、例えば、『大阪有機化学工業株式会社製の機能性アクリル系エラストマ材料』等を用いることができる。
【００２５】
本実施形態の導電性シート５は、電線圧着部４において、導体圧着部４４と連結圧着部４５と被覆圧着部４６とに渡って電線Ｗとの間に介在する。典型的には、導電性シート５は、導体圧着部４４においては、基部４１、第１バレル片部４２、第２バレル片部４３と導体部Ｗ１との間に介在する。一方、導電性シート５は、被覆圧着部４６においては、基部４１、第１バレル片部４２、第２バレル片部４３と絶縁被覆部Ｗ２との間に介在する。導電性シート５は、図３、図４に示すように、例えば、電気接続部２、連結部３、電線圧着部４等の各部に対応した形状に打ち抜かれた一枚の板金に対してプレス及び折り曲げ成形することにより電気接続部２が成形された後、電線圧着部４が成形される前に電線圧着部４に相当する部分に設置される。導電性シート５は、略矩形状に形成され、幅方向Ｙに沿って第１バレル片部４２と基部４１と第２バレル片部４３とに渡り、かつ、軸方向Ｘに沿って導体圧着部４４と連結圧着部４５と被覆圧着部４６とに渡って設けられる。そして、導電性シート５は、これらの内側の面（圧着後に電線Ｗが位置する側の面）の全体、すなわち、電線圧着部４の内側の面の全体を覆うように設けられる。導電性シート５は、圧着直前に電気接続部２に相当する部分に設置されてもよいし、導電性を有する接着剤によって電気接続部２に相当する部分に予め接着されていてもよい。導電性を有する接着剤は、種々の公知のものを用いることができ、一例として、例えば、『藤倉化成株式会社製のドータイト、接着剤タイプ』等を用いることができる。
【００２６】
上記のように構成される圧着端子１は、例えば、いわゆる下型としてのアンビル、上型としてのクリンパと呼ばれる型を用いて電線圧着部４を変形させながら、電線Ｗに加締められ圧着される。すなわち、圧着端子１は、アンビルの載置面上に電線圧着部４の基部４１が載置された状態で一対の第１バレル片部４２、第２バレル片部４３の間に電線Ｗが載置される（図２等参照）。このとき、圧着端子１は、電線圧着部４に相当する部分の内側の面（圧着後に電線Ｗが位置する側の面）に事前に導電性シート５が設けられ、当該導電性シート５を介在させた状態で基部４１に電線Ｗが載置される。この場合、圧着端子１は、導体部Ｗ１が導体圧着部４４に位置し絶縁被覆部Ｗ２が被覆圧着部４６に位置するように当該基部４１上に当該電線Ｗが載置される。そして、圧着端子１は、アンビルと高さ方向Ｚに対向する位置に配置されたクリンパが高さ方向Ｚに沿って当該アンビル側に相対的に接近しながら、一対の第１バレル片部４２、第２バレル片部４３をそれぞれ基部４１側に押圧し徐々に内側に倒し変形させる。これにより、圧着端子１は、図５に示すように、アンビルとクリンパとによって、第１バレル片部４２が基部４１との間に位置する電線Ｗの外側を包み、第２バレル片部４３が第１バレル片部４２の外側を包んで加締められる。この結果、圧着端子１は、導体圧着部４４が導体部Ｗ１に圧着され、被覆圧着部４６が絶縁被覆部Ｗ２に圧着され、電線Ｗの導体部Ｗ１、及び、絶縁被覆部Ｗ２を一体に覆う。この状態で、圧着端子１は、導電性シート５が第１バレル片部４２と基部４１と第２バレル片部４３とに渡りかつ導体圧着部４４と連結圧着部４５と被覆圧着部４６とに渡って電線圧着部４と電線Ｗとの間に介在すると共に第１バレル片部４２と第２バレル片部４３との間にも介在する。
【００２７】
以上で説明した圧着端子１、端子付き電線１００は、電線圧着部４において第１バレル片部４２が基部４１との間に位置する電線Ｗの外側を包み、第２バレル片部４３が第１バレル片部４２の外側を包むようにして電線Ｗに対して圧着される。この構成により、圧着端子１は、電線Ｗの導体部Ｗ１及び絶縁被覆部Ｗ２を一体に覆う。そして、圧着端子１は、導電性シート５が第１バレル片部４２と基部４１と第２バレル片部４３とに渡って電線Ｗとの間に介在し、当該導電性シート５によって電線圧着部４の内方への水の浸入を抑える。ここで、導電性シート５は、導電性を有し、かつ、電線Ｗに対して圧着された電線圧着部４の伸び量と同等以上に伸長可能である。この構成により、圧着端子１は、導電性シート５が電線Ｗの導体部Ｗ１と電線圧着部４との間に介在してこれらを相互に電気的に接続した上で、当該導電性シート５が電線Ｗに対して圧着された状態の電線圧着部４の膨張、収縮等の変形に追従することができる。つまり、圧着端子１は、導電性シート５が電線圧着部４等の変形に応じて導体部Ｗ１と電線圧着部４との間に密着しながら追従して介在し相互に導通することができる。この構成により、圧着端子１は、当該導電性シート５によって電線圧着部４の内方を止水した状態を適正に維持することができる。また、圧着端子１は、導体部Ｗ１と電線圧着部４との間に介在する導電性シート５自体が導電性を有するので、導体部Ｗ１と電線圧着部４との接触部位を避けることなく、電線圧着部４の全体に導電性シート５を設けることができる。その上で、圧着端子１は、導電性シート５を介して導体部Ｗ１と電線圧着部４とを相互に導通させることができる。このため、圧着端子１は、導電性シート５の形状を単純化することができ、単純な形状の導電性シート５であっても導通性能、及び、止水性能を適正確保することができる。この構成により、圧着端子１は、導電性シート５の材料ロスを抑制すると共に、複雑な加工が不要であることから簡易な設備で導電性シート５を作製し設置することができ、例えば、製造コストを抑制することができる。この結果、圧着端子１、端子付き電線１００は、適正に止水性能を確保することができる。
【００２８】
より詳細には、以上で説明した圧着端子１、端子付き電線１００は、導電性シート５が電線圧着部４の導体圧着部４４と被覆圧着部４６とに渡って電線Ｗとの間に介在する。この構成により、圧着端子１は、電線Ｗにおいて、導体部Ｗ１の露出部分と絶縁被覆部Ｗ２との境界に跨って導電性シート５を密着させることができる。この結果、圧着端子１、端子付き電線１００は、止水性能をさらに向上することができる。
【００２９】
さらに、以上で説明した圧着端子１、端子付き電線１００は、導電性シート５が第１バレル片部４２と第２バレル片部４３との間にも介在する。この結果、圧着端子１、端子付き電線１００は、導電性シート５によって第１バレル片部４２と第２バレル片部４３との間を介した水の浸入も抑えることができるので、止水性能をさらに向上することができる。
【００３０】
ここでは、以上で説明した圧着端子１、端子付き電線１００は、導電性シート５の伸長率が１０％以上であるので、導電性シート５が電線圧着部４の変形に適正に追従することができる。この結果、圧着端子１、端子付き電線１００は、適正な止水性能をより確実に確保することができる。
【００３１】
なお、上述した本発明の実施形態に係る圧着端子、及び、端子付き電線は、上述した実施形態に限定されず、特許請求の範囲に記載された範囲で種々の変更が可能である。
【００３２】
以上の説明では、圧着端子１、端子付き電線１００は、導電性シート５が第１バレル片部４２と第２バレル片部４３との間にも介在するものとして説明したがこれに限らない。
【符号の説明】
【００３３】
１    圧着端子
４    電線圧着部
５    導電性シート
４１    基部
４２    第１バレル片部
４３    第２バレル片部
４４    導体圧着部
４６    被覆圧着部
１００    端子付き電線
Ｗ    電線
Ｗ１    導体部
Ｗ２    絶縁被覆部
Ｘ    軸方向
Ｙ    幅方向（交差方向）
Ｚ    高さ方向
【図１】
2019036461.tif 000003
【図２】
2019036461.tif 000004
【図３】
2019036461.tif 000005
【図４】
2019036461.tif 000006
【図５】
2019036461.tif 000007